(57)【要約】【課題】大型化した場合でもタッチ位置の検出を高精度に行うことができるようにする。【解決手段】送信部９から電極交点を経て受信部１０に至るまでの信号伝播経路長（Ｌｘ＋Ｌｙ）が大きくなるのに応じて、送信電極Ｙ０〜Ｙ３９に印加する駆動信号の電流が大きくなるように制御する。また、信号伝播経路長が大きくなるのに応じて、駆動信号の周波数が低くなるように制御する。特に、分割領域Ｒ０１〜Ｒ０４，Ｒ１１〜Ｒ１４ごとに駆動信号の電流の大きさを制御し、受信グループＡ〜Ｄごとに駆動信号の周波数を制御する。【選択図】図６
2013020479.tif 000002
【特許請求の範囲】
【請求項１】
互いに並走する複数の送信電極および互いに並走する複数の受信電極が格子状に配置されたパネル本体と、
前記送信電極を順次選択して駆動信号を印加する送信部と、
前記受信電極を順次選択して前記駆動信号に応答した前記受信電極の出力信号を受信して電極交点ごとのレベル信号を出力する受信部と、
前記受信部から出力されるレベル信号に基づいてタッチ位置を検出すると共に前記送信部および前記受信部の動作を制御する制御部とを備え、
前記送信部は、前記駆動信号の電流の大きさを変更可能に構成され、
前記制御部は、前記送信部から電極交点を経て前記受信部に至るまでの信号伝播経路長が大きくなるのに応じて、前記駆動信号の電流が大きくなるように制御することを特徴とするタッチパネル装置。
【請求項２】
前記信号伝播経路長に応じてタッチ検出領域が複数の分割領域に分割され、この分割領域ごとに前記駆動信号の電流の大きさが設定されたことを特徴とする請求項１に記載のタッチパネル装置。
【請求項３】
前記送信部は、前記駆動信号の周波数を変更可能に構成され、
前記制御部は、前記信号伝播経路長が大きくなるのに応じて、前記駆動信号の周波数が低くなるように制御することを特徴とする請求項１または請求項２に記載のタッチパネル装置。
【請求項４】
前記受信電極の配列方向に沿ってその受信電極が所定本数ごとにグループ分けされ、この受信電極のグループごとに前記駆動信号の周波数が設定されたことを特徴とする請求項３に記載のタッチパネル装置。
【請求項５】
前記制御部は、１本の前記送信電極に駆動信号を印加する間に前記受信電極の配列方向に沿って前記受信電極を順次選択するスキャン方向が前記送信電極に応じて異なるように制御することを特徴とする請求項３または請求項４に記載のタッチパネル装置。
【発明の詳細な説明】
【技術分野】
【０００１】
本発明は、電極が格子状に配置されて、タッチ操作に応じた静電容量の変化に伴う電極の出力信号の変化に基づいてタッチ位置を検出する静電容量方式のタッチパネル装置、特に送信電極に印加した駆動信号に応答して受信電極に流れる充放電電流信号を受信してタッチ位置を検出する相互容量方式のタッチパネル装置に関するものである。
【背景技術】
【０００２】
投影型静電容量方式、特に相互容量方式のタッチパネル装置では、送信電極に印加した駆動信号に応答して受信電極に流れる充放電電流信号を受信し、これに所要の信号処理を行って得られたレベル信号からタッチ位置を検出するが、このとき、タッチ操作に応じたレベル信号の変化量に基づいてタッチ位置を検出することから、タッチ操作が行われていない非タッチ状態でのレベル信号に大きなばらつきがあると、タッチ位置を精度よく検出することができない。
【０００３】
このような非タッチ状態でのレベル信号のばらつきは、主に電極のインピーダンス等の影響によるものであり、送信部から送信電極に駆動信号に出力されて電極交点を介して受信電極の出力信号が受信部に入力されるまでの信号伝播経路長が、位置によって異なることが原因で発生する。すなわち、信号伝播経路長が大きくなると、受信信号の波形に歪みが生じてレベル信号が小さくなり、この波形の歪みによるレベル信号の変化が、信号伝播経路長に応じて異なるため、非タッチ状態でのレベル信号にばらつきが発生する。
【０００４】
このような非タッチ状態でのレベル信号のばらつきによる検出精度の低下の問題に対して、相互容量方式のタッチパネル装置において、受信電極から出力される受信信号の増幅率や積分時間を制御し、また送信電極に印加する駆動信号の電圧を制御することで、非タッチ状態でのレベル信号を一定に揃えて検出精度を向上させるようにした技術が知られている（特許文献１参照）。
【０００５】
この従来技術では、受信信号の増幅率や積分時間を制御することで、非タッチ状態で検出されるレベル信号のばらつきをＸ方向（受信電極の配列方向）に関して調整することはでき、また、送信電極に印加する駆動信号の電圧を制御することで、レベル信号のばらつきをＹ方向（送信電極の配列方向）に関して調整することができる。
【先行技術文献】
【特許文献】
【０００６】
【特許文献１】特開２００８−１３４８３６号公報
【発明の概要】
【発明が解決しようとする課題】
【０００７】
ところで、タッチパネル装置は、パソコンや携帯情報端末の分野で広く普及しているが、このタッチパネル装置を、大画面の表示装置と組み合わせることで、多人数を対象にしたプレゼンテーションや講義で使用する用途にも利用することができるようになり、利便性を高めることができる。
【０００８】
ところが、タッチパネル装置を大型化すると、電極も長くなり、これに応じて信号伝播経路長に大きな差が発生するため、非タッチ状態でのレベル信号のばらつきがより一層顕著になり、前記のように送信電極に印加する駆動信号の電圧を制御する方式では、レベル信号のばらつきを効果的に低減することができず、十分な検出精度を確保することができないという問題があった。
【０００９】
本発明は、このような従来技術の問題点を解消するべく案出されたものであり、その主な目的は、大型化した場合でもタッチ位置の検出を精度よく行うことができるように構成されたタッチパネル装置を提供することにある。
【課題を解決するための手段】
【００１０】
本発明のタッチパネル装置は、互いに並走する複数の送信電極および互いに並走する複数の受信電極が格子状に配置されたパネル本体と、前記送信電極を順次選択して駆動信号を印加する送信部と、前記受信電極を順次選択して前記駆動信号に応答した前記受信電極の出力信号を受信して電極交点ごとのレベル信号を出力する受信部と、前記受信部から出力されるレベル信号に基づいてタッチ位置を検出すると共に前記送信部および前記受信部の動作を制御する制御部とを備え、前記送信部は、前記駆動信号の電流の大きさを変更可能に構成され、前記制御部は、前記送信部から電極交点を経て前記受信部に至るまでの信号伝播経路長が大きくなるのに応じて、前記駆動信号の電流が大きくなるように制御する構成とする。
【発明の効果】
【００１１】
本発明によれば、信号伝播経路長が大きくなるのに応じて駆動信号の電流が大きくなるように制御することから、信号伝播経路長が大きくなる場合に生じる受信信号の波形の歪みが小さくなり、信号伝播経路長の違いによるレベル信号のばらつきを小さく抑えることができるため、タッチ位置の検出を精度よく行うことができる。そして、駆動信号の電流が最適化される、すなわち信号伝播経路長が小さく、受信信号の波形の歪みが小さい場合には、駆動信号の電流が小さくなり、不必要に電流を流さないため、不要輻射ノイズを低減することができる。
【図面の簡単な説明】
【００１２】
【図１】本実施形態に係るタッチパネル装置１が適用されたタッチパネルシステムを示す全体構成図
【図２】タッチパネル装置１の概略構成図
【図３】受信信号処理部３２の概略構成図
【図４】ＩＶ変換部４１の概略構成図
【図５】送信電極７に印加されるパルス信号およびＩＶ変換部４１から出力される電圧信号を示す波形図
【図６】駆動信号の電流制御を説明する図
【図７】送信部９の駆動部２３の概略構成図
【図８】各分割領域Ｒ０１〜Ｒ０４，Ｒ１１〜Ｒ１４ごとに、駆動部２３で選択されるバッファＢＦ１〜ＢＦ５、駆動信号の電流値、および駆動信号の周波数の具体例を示す図
【図９】駆動信号の周波数制御を説明する図
【図１０】送信部９のパルス生成部２１の概略構成図
【図１１】駆動信号の出力状況を示すタイミング図
【図１２】駆動信号の周波数の変化状況を示す図
【図１３】送信部９における送信電極Ｙ０〜Ｙ３９に対する駆動信号の印加状況と、受信部１０における受信電極Ｘ０〜Ｘ６３の選択状況とを１フレーム分示すタイミング図
【図１４】図１３に示したＡ部を詳しく示すとともに、受信部１０の受信信号処理部３２におけるＩＶ変換部４１、絶対値検出部４３、および積分部４４の各出力信号を示すタイミング図
【図１５】本タッチパネル装置１で発生する不要輻射ノイズの周波数特性の一例を示す図
【発明を実施するための形態】
【００１３】
前記課題を解決するためになされた第１の発明は、互いに並走する複数の送信電極および互いに並走する複数の受信電極が格子状に配置されたパネル本体と、前記送信電極を順次選択して駆動信号を印加する送信部と、前記受信電極を順次選択して前記駆動信号に応答した前記受信電極の出力信号を受信して電極交点ごとのレベル信号を出力する受信部と、前記受信部から出力されるレベル信号に基づいてタッチ位置を検出すると共に前記送信部および前記受信部の動作を制御する制御部とを備え、前記送信部は、前記駆動信号の電流の大きさを変更可能に構成され、前記制御部は、前記送信部から電極交点を経て前記受信部に至るまでの信号伝播経路長が大きくなるのに応じて、前記駆動信号の電流が大きくなるように制御する構成とする。
【００１４】
これによると、信号伝播経路長が大きくなるのに応じて駆動信号の電流が大きくなるように制御することから、信号伝播経路長が大きくなる場合に生じる受信信号の波形の歪みが小さくなり、信号伝播経路長の違いによるレベル信号のばらつきを小さく抑えることができるため、タッチ位置の検出を精度よく行うことができる。そして、駆動信号の電流が最適化される、すなわち信号伝播経路長が小さく、受信信号の波形の歪みが小さい場合には、駆動信号の電流が小さくなり、不必要に電流を流さないため、不要輻射ノイズを低減することができる。
【００１５】
また、第２の発明は、前記信号伝播経路長に応じてタッチ検出領域が複数の分割領域に分割され、この分割領域ごとに前記駆動信号の電流の大きさが設定された構成とする。
【００１６】
これによると、分割領域ごとに駆動信号の電流を変更するため、駆動信号の制御が簡単になる。
【００１７】
この場合、信号伝播経路長は、送信電極および受信電極の双方の長さに依存するため、送信電極の配列方向および受信電極の配列方向の２方向に関してタッチ検出領域を分割するとよい。これにより、各分割領域内での信号伝播経路長のばらつきを小さくして、信号伝播経路長に応じた電流制御をより的確に行うことができる。
【００１８】
また、第３の発明は、前記送信部は、前記駆動信号の周波数を変更可能に構成され、前記制御部は、前記信号伝播経路長が大きくなるのに応じて、前記駆動信号の周波数が低くなるように制御する構成とする。
【００１９】
これによると、信号伝播経路長が大きくなる場合に生じる受信信号の波形の歪みが小さくなり、信号伝播経路長の違いによるレベル信号のばらつきを小さく抑えることができるため、タッチ位置の検出を精度よく行うことができる。
【００２０】
また、第４の発明は、前記受信電極の配列方向に沿ってその受信電極が所定本数ごとにグループ分けされ、この受信電極のグループごとに前記駆動信号の周波数が設定された構成とする。
【００２１】
これによると、受信電極のグループごとに駆動信号の周波数を変更するため、駆動信号の制御が簡単になる。
【００２２】
また、第５の発明は、前記制御部は、１本の前記送信電極に駆動信号を印加する間に前記受信電極の配列方向に沿って前記受信電極を順次選択するスキャン方向が前記送信電極に応じて異なるように制御する構成とする。
【００２３】
これによると、スキャン方向を送信電極に応じて変えることで、駆動信号の周波数の変化パターンが送信電極に応じて異なるものになる。これにより、送信電極に駆動信号を印加することで放射されるノイズの周波数スペクトルが分散してノイズレベルが低下するため、駆動信号に起因するパネル面からの不要輻射ノイズを低減することができる。
【００２４】
この場合、送信電極の１本ごとにスキャン方向が交互に変化するように制御すると、駆動信号の周波数の変化パターンが頻繁に変化することから、放射ノイズの周波数スペクトルをより一層分散させることができるため、不要輻射ノイズをより一層低減することができる。
【００２５】
以下、本発明の実施の形態を、図面を参照しながら説明する。
【００２６】
図１は、本実施形態に係るタッチパネル装置１が適用されたタッチパネルシステムを示す全体構成図である。このタッチパネルシステムでは、タッチパネル装置１のパネル本体３が、プラズマディスプレイパネル（以下、ＰＤＰと呼称する）２の表示面の前側に配置されており、パネル本体３を通してＰＤＰ２の画面が表示される。ＰＤＰ２は、ＰＤＰ制御部４により制御される。
【００２７】
タッチパネル装置１のパネル本体３は、指示物（ユーザの指先及びスタイラスや指示棒等の導電体）によるタッチ操作が行われるタッチ面６を備え、互いに並走する複数の送信電極７と互いに並走する複数の受信電極８とが格子状に配置されている。
【００２８】
また、タッチパネル装置１は、送信電極７に対して駆動信号を印加する送信部９と、送信電極７に印加された駆動信号に応答した受信電極８の応答信号を受信して、送信電極７と受信電極８とが交差する電極交点ごとのレベル信号を出力する受信部１０と、この受信部１０から出力されるレベル信号に基づいてタッチ位置を検出すると共に送信部９及び受信部１０の動作を制御する制御部１１とを備えている。
【００２９】
制御部１１から出力されるタッチ位置情報は、パソコンなどの外部機器１２に入力され、ここで生成した表示画面データがＰＤＰ制御部４に出力される。これによりパネル本体３のタッチ面６上でユーザが指示物で行ったタッチ操作に対応した画像がＰＤＰ２の画面に表示され、タッチ面６にマーカーで直接描画するのと同様の感覚で所要の画像を表示させることができ、またＰＤＰ２の表示画面に表示されたボタンなどを操作することができる。さらに、タッチ操作で描かれた画像を消去するイレーサを用いることもできる。
【００３０】
送信電極７および受信電極８は同一の配置ピッチ（例えば１０ｍｍ）で配置されており、その本数はパネル本体３のアスペクト比に応じて異なり、送信電極７が例えば４０本、受信電極８が例えば６４本配置される。
【００３１】
送信電極７と受信電極８とは、絶縁層を挟んで重なり合う態様で交差しており、この送信電極７と受信電極８とが交差する電極交点にはコンデンサが形成され、ユーザが指等の指示物でタッチ操作を行う際に、指示物がタッチ面６に接近あるいは接触すると、これに応じて電極交点の静電容量が実質的に減少することで、タッチ操作の有無を検出することができる。
【００３２】
ここでは、相互容量方式が採用されており、送信電極７に駆動信号を印加すると、これに応答して受信電極８に充放電電流が流れ、この充放電電流が応答信号として受信電極８から出力され、このとき、ユーザのタッチ操作に応じて電極交点の静電容量が変化すると、受信電極８の充放電電流、すなわち応答信号が変化し、この変化量に基づいてタッチ位置が算出される。この相互容量方式では、受信部１０で応答信号を信号処理して得られるレベル信号が、送信電極７と受信電極８とによる電極交点ごとに出力されるため、同時に複数のタッチ位置を検出する、いわゆるマルチタッチ（多点検出）が可能である。
【００３３】
制御部１１は、受信部１０から出力される電極交点ごとのレベル信号から所定の演算処理によってタッチ位置（タッチ領域の中心座標）を求める。このタッチ位置の演算では、Ｘ方向（送信電極７の配列方向、つまりＰＤＰ２の幅方向）とＹ方向（受信電極８の配列方向、つまりＰＤＰ２の高さ方向）とでそれぞれ隣接する複数（例えば４×４）の電極交点ごとのレベル信号から所要の補間法（例えば重心法）を用いてタッチ位置を求める。これにより、送信電極７及び受信電極８の配置ピッチ（例えば２０ｍｍ）より高い分解能（例えば１ｍｍ以下）でタッチ位置を検出することができる。
【００３４】
また、制御部１１では、タッチ面６の全面に渡って電極交点ごとのレベル信号の受信が終了する１フレーム周期ごとにタッチ位置を求める処理が行われ、タッチ位置情報がフレーム単位で外部機器１２に出力される。外部機器１２では、時間的に連続する複数のフレームのタッチ位置情報に基づいて、各タッチ位置を時系列に連結する表示画面データを生成して、ＰＤＰ制御部４に出力する。なお、マルチタッチの場合には、複数の指示物によるタッチ位置を含むタッチ位置情報がフレーム単位で出力される。
【００３５】
図２は、タッチパネル装置１の概略構成図である。送信部９は、送信電極７を順次選択して駆動信号を印加するものであり、パルス生成部２１と、電極選択部２２と、駆動部２３と、を備えている。パルス生成部２１は、駆動信号の元になるパルスを生成する。電極選択部２２は、送信電極７を１本ずつ選択して、パルス生成部２１から出力されたパルスを送信電極７に順次印加する。駆動部２３は、電極選択部２２で選択された送信電極７をパルス駆動する。
【００３６】
さらに送信部９は、駆動電流設定部２４と、駆動周波数設定部２５と、を備えている。駆動電流設定部２４は、制御部１１から出力される電流選択信号に基づいて駆動部２３を制御し、電流選択信号に応じた電流の駆動信号が駆動部２３から出力される。駆動周波数設定部２５は、制御部１１から出力される周波数の設定値を保持し、この駆動周波数設定部２５に保持された周波数に基づいてパルス生成部２１でパルス波が生成される。
【００３７】
受信部１０は、電極選択部３１と、受信信号処理部３２と、を備えている。受信信号処理部３２では、受信電極８から出力される応答信号が処理される。電極選択部３１では、受信電極８ごとにアナログスイッチが接続されており、受信電極８を１本ずつ選択して、受信電極８からの応答信号を受信信号処理部３２に順次入力させる。
【００３８】
送信部９および受信部１０は、制御部１１から出力される同期信号に応じて動作し、送信部９において１本の送信電極７に駆動信号を印加する間に、受信部１０において受信電極８を１本ずつ選択して受信電極８からの応答信号を受信信号処理部３２に順次入力させて信号処理を行わせ、この１ライン分のスキャン動作を全ての送信電極７について順次繰り返すことで、全ての電極交点ごとのレベル信号を取得することができる。
【００３９】
電極選択部３１および受信信号処理部３２は、受信グループＡ〜Ｄごとに設けられている。各電極選択部３１では、アナログスイッチの互いに対応するもの同士が並行してオン／オフ制御され、アナログスイッチをオンとすることで選択された１本の受信電極８の充放電電流信号が順次、受信信号処理部３２に入力される。このように電極選択部３１における受信電極８の選択および受信信号処理部３２での信号処理が受信グループＡ〜Ｄ間で並行して行われるため、信号処理を高速化するとともにハードウエア構成が大型化することを避けることができる。
【００４０】
図３は、受信信号処理部３２の概略構成図である。受信信号処理部３２は、電極選択部３１を介して入力される受信電極８の出力信号（充放電電流信号）をアナログ処理した上でＡＤ変換処理してレベル信号を出力するものであり、ＩＶ変換部４１と、バンドパスフィルタ４２と、絶対値検出部４３と、積分部４４と、サンプルホールド部４５と、ＡＤ変換部４６とを備えている。
【００４１】
ＩＶ変換部４１では、受信電極８から出力される電流信号が電圧信号に変換される。バンドパスフィルタ４２では、ＩＶ変換部４１の出力信号に対して、送信電極７に印加される駆動信号の周波数以外の周波数成分を有する信号を除去する処理が行われる。絶対値検出部（整流部）４３では、バンドパスフィルタ４２の出力信号に対して全波整流が行われる。積分部４４では、絶対値検出部４３の出力信号を時間軸方向に積分する処理が行われる。サンプルホールド部４５では、積分部４４の出力信号を所定のタイミングでサンプリングする処理が行われる。ＡＤ変換部４６では、サンプルホールド部４５の出力信号をＡＤ変換して電極交点ごとのレベル信号を出力する。
【００４２】
図４は、ＩＶ変換部４１の概略構成図である。ＩＶ変換部４１は、オペアンプＯＰＡと、抵抗成分Ｒと、第１の容量成分Ｃ１と、第２の容量成分Ｃ２とを備えており、抵抗成分Ｒおよび第１の容量成分Ｃ１は、オペアンプＯＰＡの一方の入力側と出力側との間に並列接続されている。第２の容量成分Ｃ２は、オペアンプＯＰＡの他方の入力側に設けられてＧＮＤ接続されている。
【００４３】
図５は、送信電極７に印加されるパルス信号およびＩＶ変換部４１から出力される電圧信号を示す波形図であり、図５（Ａ）に従来技術による場合を、図５（Ｂ）に本発明による場合をそれぞれ示す。なお、図示する電圧信号は、バンドパスフィルタ４２にて、送信電極７に印加される駆動信号の周波数以外の周波数成分を有する信号をカットした後の波形である。
【００４４】
通常、送信電極７にパルス信号（駆動信号）を印加すると、図５（Ａ）に示すように、パルス波の立ち上がり時に、電極交点のコンデンサへの充電による波形Ａ１・Ａ３が観測され、ついでその過渡応答として、電極交点のコンデンサからの放電による波形Ａ２・Ａ４が観測され、その後も次第に減衰する小さな波形が観測される。また、パルス波の立ち下がり時には、電極交点のコンデンサからの放電による波形Ｂ１が観測され、ついでその過渡応答として、電極交点のコンデンサへの充電による波形Ｂ２が観測され、その後も次第に減衰する小さな波形が観測される。
【００４５】
ここで、タッチ操作があると、電極交点のコンデンサの静電容量が低減するため、ＩＶ変換部４１から出力される電圧信号の振幅が小さくなる。このため、波高値の変化でタッチ操作の有無を判定することができるが、本タッチパネル装置１は、大画面のＰＤＰ２と組み合わせて用いられるため、大型化に伴って送信電極７および受信電極８間の全体的な静電容量が大きくなり、全体的な静電容量に対するタッチ操作による静電容量変化が極端に小さくなるため、タッチ位置の検出精度が低下する。
【００４６】
そこでここでは、ＩＶ変換部４１が、送信部９から送信電極７に印加されるパルス信号おける１つのパルス波の立上がりと立下がりとにそれぞれ対応してＩＶ変換部４１から出力される電圧信号の振幅位相を略一致させると共に、１つのパルス波の立下がりと次のパルス波の立上がりにそれぞれ対応する電圧信号の振幅位相を略一致させるように、ＩＶ変換部４１の変換特性が設定されている。
【００４７】
すなわち、１つのパルス波の立上がり時の放電（過渡応答）による波形Ａ２に、同じパルス波の立下がり時の放電による波形Ｂ１が重畳されると共に、１つのパルス波の立下がり時の充電（過渡応答）による波形Ｂ２に、次のパルス波の立上がり時の充電による波形Ａ３が重畳されるようにする。
【００４８】
このようにすると、図５（Ｂ）に示すように、実質的に増幅された波形を得ることができる。これはインパルス応答における主パルス以降のパルスが累積加算されることによるものであり、ＩＶ変換部４１から出力される信号は、正弦波を呈し、送信電極７に印加されたパルス信号と同一の周波数成分となる。
【００４９】
このような変換特性は、ＩＶ変換部４１の変換回路の時定数を調整することで得ることができる。ＩＶ変換部４１では、抵抗成分Ｒの抵抗値および第１、第２の容量成分Ｃ１、Ｃ２の容量値に応じて時定数が定まり、この時定数を調整することで、図５（Ｂ）に示したように、振幅位相の一致による増幅が実現される変換特性を得ることができる。なお、各構成要素の抵抗値や容量値を０とする、例えば第２の容量成分Ｃ２の容量を０とする構成も可能である。
【００５０】
なお、このような信号増幅を実現するには、ＩＶ変換部４１の時定数を、送信電極７に印加されるパルス信号の周波数に適した値に設定することが望ましいが、ここではパルス信号の周波数を変更するようにしているため、時定数と周波数との関係を厳密に最適化することができない。しかしながら、パルス信号の周波数を変更する際の調整幅が小さいため、特に周波数の変更に応じて時定数を変更しなくても、信号増幅に大きな影響はない。
【００５１】
さて、本タッチパネル装置１においては、図２に示したように、送信部９から電極交点を経て受信部１０に至るまでの信号伝播経路長、具体的には送信部９から電極交点までの距離Ｌｘと電極交点から受信部１０までの距離Ｌｙとを加算したＬｘ＋Ｌｙが位置によって異なるが、この信号伝播経路長が大きくなると、信号波形が図５（Ｂ）に示したような正弦波から歪み、この信号波形の歪みは、信号伝播経路長が大きくなるほどが大きくなる。そして、信号波形に歪みが生じるとレベル信号が小さくなるため、全ての送信電極７に同一の条件（電流および周波数）で駆動信号を印加すると、非タッチ状態でのレベル信号にばらつきが発生する。特に本タッチパネル装置１は、大画面のＰＤＰ２と組み合わせて用いられるため、大型化に伴って信号伝播経路長が大きくなるため、非タッチ状態でのレベル信号のばらつきがより一層顕著になる。
【００５２】
このような非タッチ状態でのレベル信号のばらつきを解消するには、信号伝播経路長が最も大きくなる位置でも信号波形が歪まないように、駆動信号の電流を大きく設定すればよいが、信号伝播経路長が最も大きくなる位置に合わせて全ての送信電極７に大きな電流を流すと、送信電極７および受信電極８が配設されたパネル面や、送信部９および受信部１０を構成する回路基板から放射される不要輻射ノイズが大きくなり、これに応じてＳ／Ｎ比が低下するため、検出精度を高めることができないという問題が生じる。
【００５３】
そこで、本実施形態では、以下に詳しく説明するように、送信電極７に印加する駆動信号の電流の大きさを、信号伝播経路長に応じて変更制御する電流制御と、送信電極に印加する駆動信号の周波数を変更制御する周波数制御が行われる。
【００５４】
まず、駆動信号の電流制御について説明する。図６は、駆動信号の電流制御を説明する図である。なお、図６では、４０本の送信電極７を端からＹ０、Ｙ１…Ｙ３９として示しており、６４本の受信電極８を端からＸ０、Ｘ１…Ｘ６３として示している。
【００５５】
本実施形態では、信号伝播経路長が大きくなるのに応じて駆動信号の電流が大きくなるように電流制御が行われる。特に本実施形態では、信号伝播経路長に応じてタッチ検出領域１５が複数の分割領域Ｒ０１〜Ｒ０４，Ｒ１１〜Ｒ１４に分割され、この分割領域Ｒ０１〜Ｒ０４，Ｒ１１〜Ｒ１４ごとに駆動信号の電流の大きさを変化させるように電流制御が行われ、駆動信号の電流の大きさが、分割領域Ｒ０１〜Ｒ０４，Ｒ１１〜Ｒ１４ごとに設定されている。
【００５６】
さらに本実施形態では、受信電極Ｘ０〜Ｘ６３が所定本数ごとにグループ分けされ、また送信電極Ｙ０〜Ｙ３９も所定本数ごとにグループ分けされ、この受信電極Ｘ０〜Ｘ６３および送信電極Ｙ０〜Ｙ３９のグループ分けにより、タッチ検出領域１５が、送信電極Ｙ０〜Ｙ３９の配列方向（Ｙ方向）および受信電極Ｘ０〜Ｘ６３の配列方向（Ｘ方向）の２方向に関して分割されている。
【００５７】
具体的には、６４本の受信電極Ｘ０〜Ｘ６３が、１６本ごとに受信グループＡ（Ｘ０〜Ｘ１５）、受信グループＢ（Ｘ１６〜Ｘ３１）、受信グループＣ（Ｘ３２〜Ｘ４７）、および受信グループＤ（Ｘ４８〜Ｘ６３）の４つにグループ分けされている。また、４０本の送信電極Ｙ０〜Ｙ３９が、２０本ごとに送信グループＥ（Ｙ０〜Ｙ１９）、および送信グループＦ（Ｙ２０〜Ｙ３９）の２つにグループ分けされている。この受信電極Ｘ０〜Ｘ６３および送信電極Ｙ０〜Ｙ３９のグループ分けにより、タッチ検出領域１５は８つの分割領域Ｒ０１〜Ｒ０４，Ｒ１１〜Ｒ１４に分割される。
【００５８】
この分割領域Ｒ０１〜Ｒ０４，Ｒ１１〜Ｒ１４ごとに信号伝播経路長を比較すると、信号伝播経路長は、分割領域Ｒ１１で最も小さく、分割領域Ｒ０４で最も大きく、分割領域Ｒ０１と分割領域Ｒ１２とで等しく、分割領域Ｒ０２と分割領域Ｒ１３とで等しく、分割領域Ｒ０３と分割領域Ｒ１４とで等しくなり、分割領域Ｒ１１、分割領域Ｒ０１，Ｒ１２、分割領域Ｒ０２，Ｒ１３、分割領域Ｒ０３，Ｒ１４、および分割領域Ｒ０４の順で大きくなる。
【００５９】
このように信号伝播経路長は、分割領域Ｒ１１、分割領域Ｒ０１，Ｒ１２、分割領域Ｒ０２，Ｒ１３、分割領域Ｒ０３，Ｒ１４、および分割領域Ｒ０４の順で５段階に変化し、分割領域Ｒ１１、分割領域Ｒ０１，Ｒ１２、分割領域Ｒ０２，Ｒ１３、分割領域Ｒ０３，Ｒ１４、および分割領域Ｒ０４の各々のスキャン期間における電流ｉ１〜ｉ５は、ｉ１＜ｉ２＜ｉ３＜ｉ４＜ｉ５の関係となる。
【００６０】
駆動信号の電流の大きさの変更は、図２に示した送信部９の駆動部２３で行われる。図７は、送信部９の駆動部２３の概略構成図である。図８は、各分割領域Ｒ０１〜Ｒ０４，Ｒ１１〜Ｒ１４ごとに、駆動部２３で選択されるバッファＢＦ１〜ＢＦ５、駆動信号の電流値、および駆動信号の周波数の具体例を示す図である。なお、図８に示す駆動信号の周波数については後に詳しく説明する。
【００６１】
図７に示すように、駆動部２３は、送信電極７の１本ごとに電極駆動部５１を備えている。各電極駆動部５１では、５つのバッファＢＦ１〜ＢＦ５が並列接続されており、バッファＢＦ１〜ＢＦ５のいずれかを選択することで、送信電極７に印加される駆動信号が電流ｉ１〜ｉ５の５段階に調整することができる。
【００６２】
制御部１１では、電極選択部２２に出力される水平同期信号と同期して、分割領域Ｒ０１〜Ｒ１４の各スキャン期間の開始時に、各分割領域Ｒ０１〜Ｒ１４ごとに設定された電流ｉ１〜ｉ５を選択する電流選択信号を駆動電流設定部２４に出力し、駆動電流設定部２４では、制御部１１からの電流選択信号に基づいて、バッファＢＦ１〜ＢＦ５のいずれかを選択する。これにより、電極駆動部５１では、分割領域Ｒ０１〜Ｒ１４ごとに設定された電流ｉ１〜ｉ５の駆動信号が、分割領域Ｒ０１〜Ｒ１４のスキャン期間ごとに出力される。
【００６３】
前記のように、信号伝播経路長は、分割領域Ｒ１１、分割領域Ｒ０１，Ｒ１２、分割領域Ｒ０２，Ｒ１３、分割領域Ｒ０３，Ｒ１４、および分割領域Ｒ０４の順で５段階に変化し、この分割領域Ｒ１１、分割領域Ｒ０１，Ｒ１２、分割領域Ｒ０２，Ｒ１３、分割領域Ｒ０３，Ｒ１４、および分割領域Ｒ０４の各スキャン期間でそれぞれバッファＢＦ１〜ＢＦ５が選択され、このバッファＢＦ１〜ＢＦ５により規定される電流ｉ１〜ｉ５は、例えば図８に示すように、それぞれ４ｍＡ、８ｍＡ、１６ｍＡ、２４ｍＡ、３２ｍＡに設定されている。
【００６４】
バッファＢＦ１は分割領域Ｒ１１のスキャン期間で選択され、駆動信号が電流ｉ１＝４ｍＡで出力される。バッファＢＦ２は分割領域Ｒ０１，Ｒ１２のスキャン期間で選択され、駆動信号が電流ｉ２＝８ｍＡで出力される。バッファＢＦ３は分割領域Ｒ０２，Ｒ１３のスキャン期間で選択され、駆動信号が電流ｉ３＝１６ｍＡで出力される。バッファＢＦ４は分割領域Ｒ０３，Ｒ１４のスキャン期間で選択され、駆動信号が電流ｉ４＝２４ｍＡで出力される。バッファＢＦ５は分割領域Ｒ０４のスキャン期間で選択され、駆動信号が電流ｉ５＝３２ｍＡで出力される。
【００６５】
以上のように、信号伝播経路長が大きくなるのに応じて駆動信号の電流が大きくなるように制御することで、信号伝播経路長が大きくなる場合に生じる受信信号の波形の歪みが小さくなり、信号伝播経路長の違いによるレベル信号のばらつきを小さく抑えることができるため、タッチ位置の検出を精度よく行うことができる。そして、信号伝播経路長に応じて駆動信号の電流が最適化される、すなわち信号伝播経路長が小さく、受信信号の波形の歪みが小さい場合には、駆動信号の電流が小さくなり、不必要に電流を流さないため、不要輻射ノイズを低減することができる。
【００６６】
また、分割領域Ｒ０１〜Ｒ０４，Ｒ１１〜Ｒ１４ごとに駆動信号の電流の大きさを変化させるように制御するため、各分割領域Ｒ０１〜Ｒ０４，Ｒ１１〜Ｒ１４の各スキャン期間内においては駆動信号の電流の大きさは変化せず、駆動信号の制御が簡単になる。特に本実施形態では、送信電極７の配列方向（Ｙ方向）および受信電極８の配列方向（Ｘ方向）の２方向に関して分割されているため、各分割領域Ｒ０１〜Ｒ０４，Ｒ１１〜Ｒ１４内での信号伝播経路長のばらつきを小さくして、信号伝播経路長に応じた電流制御をより的確に行うことができる。
【００６７】
次に、駆動信号の周波数制御について説明する。図９は、駆動信号の周波数制御を説明する図である。なお、図９では、４０本の送信電極７を端からＹ０、Ｙ１…Ｙ３９として示しており、６４本の受信電極８を端からＸ０、Ｘ１…Ｘ６３として示している。
【００６８】
本実施形態では、信号伝播経路長が大きくなるのに応じて駆動信号の周波数が低くなるように周波数制御が行われる。特に本実施形態では、受信グループＡ〜Ｄごとに駆動信号の周波数を変化させるように周波数制御が行われ、駆動信号の周波数が、受信グループＡ〜Ｄごとに設定されている。
【００６９】
信号伝播経路長は、受信グループＡ、受信グループＢ、受信グループＣ、および受信グループＤの順で大きくなり、受信グループＡ〜Ｄの各々の周波数ｆ１〜ｆ４は、ｆ１＞ｆ２＞ｆ３＞ｆ４の関係となり、例えば図８に示したように、それぞれ３．０２ＭＨｚ、２．９６ＭＨｚ、２．９１ＭＨｚ、２．８５ＭＨｚに設定されている。
【００７０】
駆動信号の周波数の変更は、図２に示した送信部９のパルス生成部２１で行われる。図１０は、送信部９のパルス生成部２１の概略構成図である。
【００７１】
パルス生成部２１は、クロック発振器５５と、ＰＬＬシンセサイザ５６と、タイミング制御部５７とを備えている。クロック発振器５５は、基準クロックを生成する。ＰＬＬシンセサイザ５６は、クロック発振器５５から出力される基準クロックを、駆動周波数設定部２５に保持された周波数の設定値に基づいた周波数に変換する。タイミング制御部５７は、ＰＬＬシンセサイザ５６から出力されるクロックパルスを所定のタイミンングで出力する。
【００７２】
制御部１１では、電極選択部２２に出力される水平同期信号と同期して、各受信グループＡ〜Ｄのスキャン期間の開始時に、各受信グループＡ〜Ｄごとに設定された周波数の設定値を駆動周波数設定部２５に出力する。これにより、ＰＬＬシンセサイザ５６では、駆動周波数設定部２５の設定値に基づいて、各受信グループＡ〜Ｄごとに設定された周波数のパルスが、各受信グループＡ〜Ｄのスキャン期間ごとに出力される。
【００７３】
なおここでは、周波数変換にＰＬＬシンセサイザ５６を用いたが、分周器などを用いた他の周波数変換手段を採用することも可能である。
【００７４】
また、本実施形態では、図９に示したように、送信電極Ｙ０〜Ｙ３９の１本に駆動信号を印加する間に受信電極Ｘ０〜Ｘ６３の配列方向に沿って受信電極Ｘ０〜Ｘ６３を順次選択するスキャン方向が送信電極Ｙ０〜Ｙ３９に応じて異なるように制御する。特に本実施形態では、送信電極Ｙ０〜Ｙ３９の１本ごとにスキャン方向が交互に変化するように制御する。すなわち、スキャン方向を送信電極Ｙ０〜Ｙ３９の偶数ラインと奇数ラインとで逆にする。
【００７５】
すなわち、偶数ラインの送信電極Ｙ０，Ｙ２，Ｙ４…では、矢印Ａで示すように、送信部９に近い一端側から他端側に向けて受信電極Ｘ０〜Ｘ６３が選択される。一方、奇数ラインの送信電極Ｙ１，Ｙ３，Ｙ５…では、矢印Ｂで示すように、送信部９から遠い他端側から一端側に向けて受信電極Ｘ０〜Ｘ６３が選択される。
【００７６】
図１１は、駆動信号の出力状況を示すタイミング図であり、図１１（Ａ）に偶数ラインの送信電極Ｙ０，Ｙ２，Ｙ４…の場合を、図１１（Ｂ）に奇数ラインの送信電極Ｙ１，Ｙ３，Ｙ５…の場合をそれぞれ示す。図１２は、駆動信号の周波数の変化状況を示す図である。
【００７７】
図１１に示すように、送信電極Ｙ０〜Ｙ３９には、水平同期信号（HSYNC）に応じて、受信グループＡ〜Ｄの各スキャン期間に対応して駆動信号が印加されるが、図１１（Ａ）に示すように、偶数ラインの送信電極Ｙ０，Ｙ２，Ｙ４…の場合には、受信グループＡ、受信グループＢ、受信グループＣ、および受信グループＤの順となり、駆動信号の周波数はｆ１、ｆ２、ｆ３、およびｆ４と次第に低くなるように変化する。一方、図１１（Ｂ）に示すように、奇数ラインの送信電極Ｙ１，Ｙ３，Ｙ５…の場合には、受信グループＤ、受信グループＣ、受信グループＢ、および受信グループＡの順となり、駆動信号の周波数はｆ４、ｆ３、ｆ２、およびｆ１と次第に高くなるように変化する。
【００７８】
このように偶数ラインの送信電極Ｙ０，Ｙ２，Ｙ４…と奇数ラインの送信電極Ｙ１，Ｙ３，Ｙ５…とでスキャン方向が逆になることで、図１２に示すように、周波数が次第に低くなる変化パターンと、周波数が次第に高くなる変化パターンとが交互に繰り返される。
【００７９】
以上のように、信号伝播経路長が大きくなるのに応じて駆動信号の周波数が低くなるように制御することで、信号伝播経路長が大きくなる場合に生じる受信信号の波形の歪みが小さくなり、信号伝播経路長の違いによるレベル信号のばらつきを小さく抑えることができるため、タッチ位置の検出を精度よく行うことができる。
【００８０】
また、信号伝播経路長が大きくなるのに応じて駆動信号の周波数が低くなるように制御することで、送信電極Ｙ０〜Ｙ３９の１本に駆動信号を印加する間に駆動信号の周波数が変化し、受信電極Ｘ０〜Ｘ６３を順次選択するスキャン方向を送信電極Ｙ０〜Ｙ３９に応じて変えることで、駆動信号の周波数の変化パターンが送信電極Ｙ０〜Ｙ３９に応じて異なるものになる。このため、送信電極Ｙ０〜Ｙ３９に駆動信号を印加することで放射されるノイズの周波数スペクトルが分散してノイズレベルが低下するため、駆動信号に起因するパネル面からの不要輻射ノイズを低減することができる。
【００８１】
また、受信グループＡ〜Ｄごとに駆動信号の周波数を変化させるように制御することで、各受信グループＡ〜Ｄの各スキャン期間内においては駆動信号の周波数は変化せず、駆動信号の制御が簡単になる。
【００８２】
次に、送信部９および受信部１０の動作をタイミング図を用いて総括的に説明する。図１３は、送信部９における送信電極Ｙ０〜Ｙ３９に対する駆動信号の印加状況と、受信部１０における受信電極Ｘ０〜Ｘ６３の選択状況とを１フレーム分示すタイミング図である。図１４は、図１３に示したＡ部を詳しく示すとともに、受信部１０の受信信号処理部３２におけるＩＶ変換部４１、絶対値検出部４３、および積分部４４の各出力信号を示すタイミング図である。なお、これらの信号は、タッチ操作が行われていない非タッチ状態で検出されるものである。
【００８３】
図１３に示すように、まず、１フレームの開始タイミングを規定する垂直同期信号（VSYNC）が制御部１１から送信部９に出力される。その後、送信電極Ｙ０〜Ｙ３９の各々に駆動信号を印加するタイミングを規定する水平同期信号（HSYNC）が制御部１１から送信部９に出力され、その水平同期信号（HSYNC）に応じて、送信電極Ｙ０〜Ｙ３９が順次選択されて、送信電極Ｙ０〜Ｙ３９に駆動信号が印加される。
【００８４】
このとき、図１４に示すように、送信電極Ｙ０には、駆動信号として、受信電極Ｘ０〜Ｘ１５の１本に対応する所定数のパルスからなるパルス波Ｐ１〜Ｐ１６が、受信グループＡに属する受信電極Ｘ０〜Ｘ１５の本数（１６本）に対応して１６回繰り返し印加される。受信部１０では、各パルス波Ｐ１〜Ｐ１６を印加するタイミングに同期して電極選択部３１にて受信電極Ｘ０〜Ｘ１５が順次選択され、受信電極Ｘ０〜Ｘ１５の出力信号が電極選択部３１から受信信号処理部３２に順次入力される。
【００８５】
ＩＶ変換部４１では、各パルス波Ｐ１〜Ｐ１６に対応した正弦波Ｓ１〜Ｓ１６が出力され、この正弦波Ｓ１〜Ｓ１６は絶対値検出部４３で全波整流された上で、積分部４４で積分処理される。積分部４４の出力信号は、サンプルホールド部４５にて所定の積分期間をおいたタイミング（サンプリングポイント）でサンプリングされてサンプリング電圧が出力される。このサンプリング電圧は、ＡＤ変換部４６でＡＤ変換された上でレベル信号として制御部１１に出力される。
【００８６】
なお、図１４には、送信電極Ｙ０において受信グループＡの受信電極Ｘ０〜Ｘ１５が選択される場合を示したが、この他の場合もこれと同様である。
【００８７】
また、図１３に示したように、パルス波Ｐ１〜Ｐ１６（駆動信号）は、受信グループＡ〜Ｄと送信グループＥ，Ｆとの組み合わせで定まる分割領域Ｒ０１〜Ｒ１４のスキャン期間ごとに電流の大きさが変化し、同時に受信グループＡ〜Ｄのスキャン期間ごとに周波数が変化する。
【００８８】
具体的には、送信グループＥの送信電極Ｙ０〜Ｙ１９において、受信グループＡの受信電極Ｘ０〜Ｘ１５の選択期間、すなわち分割領域Ｒ０１のスキャン期間では、周波数ｆ１の駆動信号が電流ｉ２で出力され、受信グループＢの受信電極Ｘ１６〜Ｘ３１の選択期間、すなわち分割領域Ｒ０２のスキャン期間では、周波数ｆ２の駆動信号が電流ｉ３で出力され、受信グループＣの受信電極Ｘ３２〜Ｘ４７、すなわち分割領域Ｒ０３のスキャン期間では、周波数ｆ３の駆動信号が電流ｉ４で出力され、受信グループＤの受信電極Ｘ４８〜Ｘ６３、すなわち分割領域Ｒ０４のスキャン期間では、周波数ｆ４の駆動信号が電流ｉ５で出力される。
【００８９】
一方、送信グループＦの送信電極Ｙ２０〜Ｙ３９において、受信グループＡの受信電極Ｘ０〜Ｘ１５の選択期間、すなわち分割領域Ｒ１１のスキャン期間では、周波数ｆ１の駆動信号が電流ｉ１で出力され、受信グループＢの受信電極Ｘ１６〜Ｘ３１の選択期間、すなわち分割領域Ｒ１２のスキャン期間では、周波数ｆ２の駆動信号が電流ｉ２で出力され、受信グループＣの受信電極Ｘ３２〜Ｘ４７、すなわち分割領域Ｒ１３のスキャン期間では、周波数ｆ３の駆動信号が電流ｉ３で出力され、受信グループＤの受信電極Ｘ４８〜Ｘ６３、すなわち分割領域Ｒ１４のスキャン期間では、周波数ｆ４の駆動信号が電流ｉ４で出力される。
【００９０】
また、受信電極Ｘ０〜Ｘ６３の配列順に受信電極Ｘ０〜Ｘ６３が選択されるが、偶数ラインの送信電極Ｙ０，Ｙ２，Ｙ４…の場合と奇数ラインの送信電極Ｙ１，Ｙ３，Ｙ５…の場合とでは、スキャン方向、すなわち受信電極Ｘ０〜Ｘ６３の選択順序が互いに逆方向となる。具体的には、偶数ラインの送信電極Ｙ０，Ｙ２，Ｙ４…の場合には、受信電極Ｘ０から選択され、奇数ラインの送信電極Ｙ１，Ｙ３，Ｙ５…の場合には、受信電極Ｘ６３から選択される。
【００９１】
次に、前記した駆動信号の周波数制御による不要輻射ノイズレベルの低下を具体例で説明する。図１５は、本タッチパネル装置１で発生する不要輻射ノイズの周波数特性の一例を示す図であり、図１５（Ａ）に、駆動信号の周波数を一定の周波数（３．０２ＭＨｚ）に固定した場合を、図１５（Ｂ）に、駆動信号を所定の変化範囲（２．８５ＭＨｚ〜３．０２ＭＨｚ）で変化させた場合をそれぞれ示す。
【００９２】
図１５（Ａ）に示すように、駆動信号の周波数を３．０２ＭＨｚに固定した場合は、主に３．０２ＭＨｚの整数倍の周波数で不要輻射ノイズが観測される。一方、図１５（Ｂ）に示すように、駆動信号の周波数を２．８５ＭＨｚ〜３．０２ＭＨｚの範囲で変化させた場合には、不要輻射ノイズのスペクトル分布が分散してノイズレベルが数ｄＢ〜１０ｄＢ低下しており、不要輻射ノイズを低減することができることが分かる。  
【００９３】
以上のように、本実施形態では、信号伝播経路長に応じて設定された分割領域Ｒ０１〜Ｒ１４ごとに駆動信号の電流の大きさを変更する電流制御と、受信グループＡ〜Ｄごとに駆動信号の周波数を変更する周波数制御とを行うことにより、信号伝播経路長の違いによるレベル信号のばらつきを小さく抑えて、タッチ位置の検出を精度よく行うとともに、不要輻射ノイズを低減することができる。
【００９４】
なお、本実施形態では、図６に示したように、分割領域Ｒ０１〜Ｒ０４，Ｒ１１〜Ｒ１４ごとに駆動信号の電流の大きさを変化させる電流制御を行うものとしたが、受信電極Ｘ０〜Ｘ６３の１本ごとに、あるいは受信グループＡ〜Ｄごとに駆動信号の電流の大きさを変化させることも可能である。また、本実施形態では、受信グループＡ〜Ｄごとに駆動信号の周波数を変化させる周波数制御を行うものとしたが、分割領域Ｒ０１〜Ｒ０４，Ｒ１１〜Ｒ１４ごとに、あるいは受信電極Ｘ０〜Ｘ６３の１本ごとに駆動信号の周波数を変化させることも可能である。
【００９５】
また、本実施形態では、図９に示したように、送信電極Ｙ０〜Ｙ３９の１本ごとにスキャン方向を交互に変化させる、すなわちスキャン方向を送信電極Ｙ０〜Ｙ３９の偶数ラインと奇数ラインとで逆にするものとしたが、この偶数ラインおよび奇数ラインのスキャン方向は図示する例と逆でもよい。さらに、スキャン方向を送信電極Ｙ０〜Ｙ３９の複数本ごとに変える、例えば３本ずつでスキャン方向を変える構成も可能である。さらに、スキャン方向をランダムに変更する構成も可能である。
【産業上の利用可能性】
【００９６】
本発明にかかるタッチパネル装置は、大型化した場合でもタッチ位置の検出を精度よくに行うことができる効果を有し、静電容量方式のタッチパネル装置、特に相互容量方式のタッチパネル装置などとして有用である。
【符号の説明】
【００９７】
１  タッチパネル装置
２  ＰＤＰ（プラズマディスプレイパネル）
３  パネル本体
４  ＰＤＰ制御部
６  タッチ面
７、Ｙ０〜Ｙ３９  送信電極
８、Ｘ０〜Ｘ６３  受信電極
９  送信部
１０  受信部
１１  制御部
１５  タッチ検出領域
ＢＦ１〜ＢＦ５  バッファ
Ａ〜Ｄ  受信グループ
Ｅ，Ｆ  送信グループ
Ｒ０１〜Ｒ０４，Ｒ１１〜Ｒ１４  分割領域
【図１】
2013020479.tif 000003
【図２】
2013020479.tif 000004
【図３】
2013020479.tif 000005
【図４】
2013020479.tif 000006
【図５】
2013020479.tif 000007
【図６】
2013020479.tif 000008
【図７】
2013020479.tif 000009
【図８】
2013020479.tif 000010
【図９】
2013020479.tif 000011
【図１０】
2013020479.tif 000012
【図１１】
2013020479.tif 000013
【図１２】
2013020479.tif 000014
【図１３】
2013020479.tif 000015
【図１４】
2013020479.tif 000016
【図１５】
2013020479.tif 000017